(57)【特許請求の範囲】
【請求項１】
壁構造体と外壁パネルとの間に形成された空気流通路内に長尺の不燃材料でなる延焼防止材が取り付けられた延焼防止構造において、
延焼防止材の断面形状が、上下面と側面とからなる中空の四角筒でなり、側面間の距離を下方に狭めて楔形状になされ、上下面のそれぞれに互いに長手方向の位置をずらせて配置された複数の通孔が形成され、壁構造体と外壁パネルとの間の隙間に側面が圧接状態で設けられていることを特徴とする延焼防止構造。
【請求項２】
延焼防止材の上面から係止部が延設され、外壁パネルの端面に係止されていることを特徴とする請求項１記載の延焼防止構造。
【請求項３】
壁構造体と外壁パネルとの間に形成された空気流通路内に取り付けられる長尺の不燃材料でなる延焼防止材において、
断面形状が上下面と側面とからなる中空の四角筒でなり、側面間の距離を下方に狭めて楔形状になされ、上下面のそれぞれに互いに長手方向の位置をずらせて配置された複数の長手方向に長い通孔が形成され、壁構造体と外壁パネルとの間の隙間に側面が圧接状態にて差し込み可能になされ、外壁パネルの端面に係止される係止部が延焼防止材の上面から延設されていることを特徴とする延焼防止材。
【発明の詳細な説明】
【０００１】
【発明が属する技術分野】
本発明は、壁構造体と外壁パネルとの間に形成された空気流通路内に延焼防止材が取り付けられた延焼防止構造と、その延焼防止材に関する。
【０００２】
【従来の技術】
従来、特開昭５６−１３３００５号公報に記載の延焼防止材（下地材）が知られている。上記公報記載の延焼防止材は、壁構造体と外壁パネルとの間に形成された空気流通路内に取り付けられる長尺の延焼防止材であって、断面形状がハット（帽子）型になされ、両側の鍔部を取付け片として壁構造体にクギ、ネジ等の接合材で取り付けられ、両側の側片に上下に通じる通孔が形成されている。
【０００３】
また、従来、実開平７−２１８１６号公報に記載の延焼防止構造が知られている。上記公報記載の延焼防止構造は、壁構造体と外壁パネルとの間に形成された空気流通路に火災熱で体積膨張する延焼防止材を介装することにより、火災熱を受けた場合延焼防止材の体積膨張により新鮮空気の供給を遮断して煙突効果を抑制し、火焔の伝搬を防止するようにしたものである。
【０００４】
【発明が解決しようとする課題】
しかしながら、上記従来の技術においては、いずれも、延焼防止材の取付けに釘、ネジ等の接合材を必要とする問題と、取付け時に位置決めが必要とする問題と、通気路の隙間寸法が制限され狭くできないという問題がある。
【０００５】
本発明は、上記の諸問題を解決するためになされたものであって、本発明の目的は、取付けと位置決めが容易であり、通気路の隙間寸法が狭くても対応できる延焼防止構造と、延焼防止材を提供することである。
【０００６】
【課題を解決するための手段】
請求項１記載の発明は、壁構造体と外壁パネルとの間に形成された空気流通路内に長尺の不燃材料でなる延焼防止材が取り付けられた延焼防止構造において、
延焼防止材の断面形状が、上下面と側面とからなる中空の四角筒でなり、側面間の距離を下方に狭めて楔形状になされ、上下面のそれぞれに互いに長手方向の位置をずらせて配置された複数の通孔が形成され、壁構造体と外壁パネルとの間の隙間に側面が圧接状態で設けられていることを特徴としている。
【０００７】
請求項２記載の発明は、請求項１記載の延焼防止構造において、延焼防止材の上面から係止部が延設され、外壁パネルの端面に係止されていることを特徴としている。
【０００８】
請求項３記載の発明は、壁構造体と外壁パネルとの間に形成された空気流通路内に取り付けられる長尺の不燃材料でなる延焼防止材において、
断面形状が、上下面と側面とからなる中空の四角筒でなり、側面間の距離を下方に狭めて楔形状になされ、上下面のそれぞれに互いに長手方向の位置をずらせて配置された複数の長手方向に長い通孔が形成され、壁構造体と外壁パネルとの間の隙間に側面が圧接状態にて差し込み可能になされ、外壁パネルの端面に係止される係止部が延焼防止材の上面から延設されていることを特徴としている。
【０００９】
【作用】
請求項１記載の延焼防止構造は、延焼防止材の断面形状が、側面間の距離を下方に狭めて楔形状になされ、壁構造体と外壁パネルとの間の隙間に側面を圧接状態で設けられているので、釘、ネジ等の接合材が不要で、取付けが容易となる。
また、上下面のそれぞれに互いに長手方向の位置をずらせて配置された複数の通孔が形成されているので、通気性を損なうことなく、火災時の火焔の伝搬を防止する。
【００１０】
請求項２記載の延焼防止構造は、さらに、延焼防止材の上面から係止部が延設され、外壁パネルの端面に係止されているので、係止部によって差し込むときに位置決めされ、取付け時に位置決め不要となる。
【００１１】
請求項３記載の延焼防止材は、断面形状が楔形状になされ、壁構造体と外壁パネルとの間の隙間に側面を圧接状態で設けるだけなので、釘、ネジ等の接合材が不要で、取付けが容易となる。
また、上下面のそれぞれに長手方向に長い通孔が形成されているので、通気路の隙間寸法が狭くても、通気性を損なうことなく対応できる。
さらにまた、外壁パネルの端面に係止される係止部が延焼防止材の上面から延設されているので、係止部によって差し込むときに位置決めされ、取付け時に位置決め不要となる。
【００１２】
【発明の実施の形態】
本発明の実施の形態を図面を参照して説明する。
図１〜図６は、本発明に係る一実施例であって、図１は延焼防止材の説明図であり、（イ）図は斜視図、（ロ）図は断面図、（ハ）図は端部展開図である。図２は補助延焼防止材の説明図であり、（イ）図は斜視図、（ロ）図は断面図である。図３は延焼防止材と補助延焼防止材の建物ユニットにおける配置図である。図４は建物ユニットの骨組み構造体の斜視図であり、図５はフラット屋根になされた建物ユニットにおける延焼防止構造の断面図、図６は傾斜屋根になされた建物ユニットにおける延焼防止構造の断面図である。
【００１３】
図１〜図６において、１は延焼防止材、１Ａは補助的に使用される補助延焼防止材、２は建物ユニットの骨組構造体である。
本実施例の延焼防止材１は、建物ユニットの延焼防止構造に使用されるものである。
（建物ユニット）
本実施例の建物ユニットは、図４に示すように、４本の柱２１と、柱２１の下端部間に架け渡された床梁２２と、柱２１の上端部間に架け渡された屋根梁２３とから箱型に組まれた骨組み構造体２を備えた軸組工法のものである。
上記柱２１と床梁２２、柱２１と屋根梁２３は、いずれも、ジョイントピース２４を介して接合されている。
上記建物ユニットの骨組み構造体２には、図３に示すように、外壁パネル３、３が床梁と２２と屋根梁２３間に架設されるスタッドに、外壁パネル３背面の枠材を介して取り付けられている。
そして、外壁パネル３の内側にスペーサー付き断熱材５（ガラスウール）を介して内壁パネル４が同じくすたっど背面に取り付けられることにより、外壁パネル３と内壁パネル４との間に約７ｍｍの空気流通路Ｒが形成されている。
【００１４】
（延焼防止材）
本実施例の延焼防止材１は、上記建物ユニットの骨組み構造体２（壁構造体）と外壁パネル３との間に形成された鉛直方向の空気流通路Ｒ（図５、図６に図示）と直交する方向に沿って取り付けられるものであって、厚さ０．３ｍｍのステンレス鋼板等（不燃材料）を折り曲げて形成された長尺品である。
【００１５】
上記延焼防止材１は、図１に示すように、その断面形状が、上面１１と下面１２と側面１３、１４とからなる中空の四角筒でなり、側面１３、１４間の距離を下方に狭めて楔形状になされている。
上面１１の幅は係止部１１１を含めて９ｍｍに、下面１２の幅は６ｍｍになされている。
そして、上面１１と下面１２には、それぞれ、互いに長手方向の位置をずらせて配置された複数の長手方向に長い楕円形（５×１１ｍｍ）の通孔１５、１６が、４０ｍｍのピッチで形成されている（図１（ハ）図参照）。
【００１６】
上記延焼防止材１は、後述する図５と図６に示すように、建物ユニットの骨組み構造体２の屋根梁２３と外壁パネル３との間の約７ｍｍの隙間に、楔形状になされた側面１３、１４が変形して圧接状態にて差し込み可能になされている。
また、外壁パネル３の端面に係止される係止部１１１が上面１１から連続して延設されている。
上記延焼防止材１は、外壁パネル３や内壁パネル４と共に、建物ユニットの骨組み構造体２に工場付けして取り付けられている。
【００１７】
（補助延焼防止材）
補助延焼防止材１Ａは、図３に示すように、建物ユニットの骨組み構造体２のジョイントピース２４と外壁パネル３との間の狭い隙間（約２ｍｍ）に介装されるものであって、延焼防止材１と同様、厚さ０．３ｍｍのステンレス鋼板等（不燃材料）を折り曲げて形成された短尺品である。
上記補助延焼防止材１Ａの断面形状は、図２に示すように、上面１１Ａと下面１２Ａと側面１３Ａ、１４Ａとからなる中空の四角筒でなり、側面１３Ａ、１４Ａ間の距離を下方に狭めて楔形状になされ、ジョイントピース２４と外壁パネル３との間の隙間に差し込み可能になされている。
上面１１Ａの幅は約４ｍｍに、下面１２Ａの幅は約１ｍｍになされている。
そして、上記補助延焼防止材１Ａは、前記延焼防止材１と同様、建物ユニットの骨組み構造体２に工場付けして取り付けられている。
【００１８】
（建物ユニットの延焼防止構造−１）
つぎに、上記延焼防止材１を用いた建物ユニットの延焼防止構造について説明する。
延焼防止構造−１は、フラット屋根になされたユニット建物に適用したものであって、これを図５に示す。
建物ユニットの屋根梁２３には、庇アーム７が横設され、この庇アーム７にフラット屋根の庇８が取り付けられている。
そして、上記屋根梁２３の下方には内側に断熱材５が取り付けられた内壁パネル４が立設されて壁構造体が形成され、この壁構造体と外壁パネル３との間に鉛直方向の空気流通路Ｒが形成されている。
なお、外壁パネル３は、外壁面材３１とこれを支持する枠体３２とから構成されている。
【００１９】
延焼防止構造−１は、上記空気流通路Ｒと直交する方向に沿って、長尺の延焼防止材１が取り付けられたものであって、屋根梁２３と外壁パネル３の枠体３２との間の隙間（７ｍｍ）に、延焼防止材１の側面１３、１４が圧接状態にて差し込まれている。
そして、延焼防止材１の上面１１から延設された係止部１１１が、外壁パネル３の端面に係止されている。
さらに、上記延焼防止材１の上面１１を覆うようにして、防水透湿通気テープ６が貼設されている。この防水透湿通気テープ６とは、雨水を通過させないが、空気を通過させるものであって、合成樹脂製の不織布等が好適であり、空気流通路Ｒ内への雨水の侵入を防止し、且つ、外壁内通気を確保している。
【００２０】
（建物ユニットの延焼防止構造−２）
延焼防止構造−２は、傾斜屋根になされたユニット建物に適用したものであって、これを図６に示す。
建物ユニットの屋根梁２３の上には、軒梁９が設置され、この軒梁９に垂木取付け金具９１と軒元水返し９２が取り付けられ、その上方に傾斜屋根（不図示）が設置される。
そして、上記屋根梁２３の下方には内側に断熱材５が取り付けられた内壁パネル４が立設されて壁構造体が形成され、この壁構造体と外壁パネル３との間に鉛直方向の空気流通路Ｒが形成されている。
【００２１】
延焼防止構造−２は、上記空気流通路Ｒと直交する方向に沿って、長尺の延焼防止材１が取り付けられたものであって、屋根梁２３と外壁パネル３の枠体３２との間の隙間に、延焼防止材１の側面１３、１４が圧接状態にて差し込まれている。
そして、延焼防止材１の上面１１から延設された係止部１１１が、外壁パネル３の端面に係止されている。
さらに、上記延焼防止材１の上面１１を覆うようにして、防水透湿通気テープ６が貼設され、空気流通路Ｒ内への雨水の侵入を防止して、且つ外壁内通気を確保している。
【００２２】
（実施例の作用）
本実施例に示した延焼防止構造−１と延焼防止構造−２は、延焼防止材１の断面形状が、側面１３、１４間の距離を下方に狭めて楔形状になされ、屋根梁２３（壁構造体）と外壁パネル３との間の隙間に、延焼防止材１の側面１３、１４を圧接状態で設けるだけなので、釘、ネジ等の接合材が不要で、取付けが容易となる。
また、延焼防止材１の上面１１と下面１２のそれぞれに、互いに長手方向の位置をずらせて配置された複数の通孔１５、１６が形成されているので、通気性を損なうことなく、火災時の火焔の伝搬を防止する。
【００２３】
さらに、延焼防止材１の上面１１から係止部１１１が延設され、外壁パネル３の端面に係止されているので、係止部１１１によって差し込むときに位置決めされ、取付け時に位置決め不要となる。
【００２４】
【発明の効果】
請求項１記載の延焼防止構造によると、延焼防止材の側面を壁構造体と外壁パネルとの間の隙間に圧接状態で設けるだけなので、釘、ネジ等の接合材が不要で、取付けが容易となる。
また、上下面のそれぞれに互いに長手方向の位置をずらせて配置された複数の通孔が形成されているので、通気性を損なうことなく、火災時の火焔の伝搬を防止する。
【００２５】
請求項２記載の延焼防止構造は、さらに、延焼防止材の上面から係止部が延設され、外壁パネルの端面に係止されているので、係止部によって差し込むときに位置決めされ、取付け時に位置決め不要となる。
【００２６】
請求項３記載の延焼防止材は、側面を圧接状態にて差し込むだけなので、釘、ネジ等の接合材が不要で、取付けが容易となる。
また、上下面のそれぞれに長手方向に長い通孔が形成されているので、通気路の隙間寸法が狭くても、通気性を損なうことなく対応できる。
さらにまた、係止部によって差し込むときに位置決めされ、取付け時に位置決め不要となる。
【図面の簡単な説明】
【図１】本発明に係る一実施例であって、延焼防止材の説明図であり、（イ）図は斜視図、（ロ）図は断面図、（ハ）図は端部展開図である。
【図２】補助延焼防止材の説明図であり、（イ）図は斜視図、（ロ）図は断面図である。
【図３】延焼防止材と補助延焼防止材の建物ユニットにおける配置図である。
【図４】建物ユニットの骨組み構造体の斜視図である。
【図５】フラット屋根になされた建物ユニットにおける延焼防止構造の断面図である。
【図６】傾斜屋根になされた建物ユニットにおける延焼防止構造の断面図である。
【符号の説明】
１              延焼防止材
１１            上面
１１１          係止部
１２            下面
１３、１４      側面
１５、１６      通孔
２              建物ユニットの骨組み構造体
３              外壁パネル
４              内壁パネル
Ｒ              空気流通路
【図１】
0004044691.tif 000002
【図２】
0004044691.tif 000003
【図３】
0004044691.tif 000004
【図４】
0004044691.tif 000005
【図５】
0004044691.tif 000006
【図６】
0004044691.tif 000007